(57)【特許請求の範囲】
【請求項１】
複数の放送用マイク（２ａ、２ｂ、２ｃ）、前記放送用マイクが接続された放送用アンプ（３ａ、３ｂ、３ｃ）、前記放送用アンプに接続されたスイッチ（４ａ、４ｂ、４ｃ）を有する音声入力装置（１ａ、１ｂ、１ｃ）と、各音声入力装置からの音声信号が入力される主装置（M）と、前記主装置からの音声を放送する放送用スピーカ（１３）とを備え、
前記主装置は、前記スイッチのオン、オフに応じて前記音声入力装置から送られてきた放送音の音声信号（８ａ、８ｂ、８ｃ）の前後に開始信号（７ａ、７ｂ、７ｃ）および終了信号（９ａ、９ｂ、９ｃ）を付与する音声メモリ制御部（１７）と、前記音声メモリ制御部により前記開始信号および前記終了信号が付与された前記音声信号を各音声入力装置に割り当てられてそれぞれ格納する音声メモリ（６ａ、６ｂ、６ｃ）と、前記音声メモリに接続され各音声メモリに対応して選択される信号検出スイッチ（１０ａ、１０ｂ、１０ｃ）と、前記信号検出スイッチを介して開始・終了信号を検出する開始・終了信号検出回路（１４）と、前記信号検出スイッチを順次サイクリックに選択するとともに前記音声メモリ制御部を介して選択された音声メモリの読み出し制御を行うカウンタ（１５）と、前記開始・終了信号検出回路で前記開始信号が検出されたとき前記カウンタの動作を停止させ前記放送用スピーカに接続された音声スイッチ（１１ａ、１１ｂ、１１ｃ）を閉成し、前記終了信号が検出されたとき前記カウンタの動作を開始させ前記音声スイッチを開成する制御部（１６）とを有することを特徴とする共同呼出装置。
【発明の詳細な説明】
【０００１】
【発明の属する技術分野】
本発明は放送用スピーカを複数の放送用マイクで共用して放送を行う共同呼出装置に係わる。
【０００２】
【従来の技術】
従来から、病院の待合室等で待っている患者を診察室に案内する際、複数の診察室に設置されるそれぞれのマイクから呼出の音声を入力し、待合室に設けられたひとつのスピーカから呼出の放送を行う共同呼出装置が用いられている。
この種の共同呼出装置として、図２に示すように、各診察室にそれぞれ設置される複数の送話装置２０と、送話装置２０がそれぞれ接続される主装置２１と、主装置２１に接続されるひとつのスピーカ２２とを備えたものである。
【０００３】
送話装置２０は、マイク２０ａと、マイク２０ａに接続されるプリアンプ２０ｂ、プリアンプ２０ｂが接続される送話スイッチ２０ｃとを備え、主装置２１にはプリアンプ２１ａが設けられる。
送話装置２０において、送話スイッチ２０ｃが押されて閉成され、マイク２０ａに音声が入力されると、プリアンプ２０ｂ、送話スイッチ２０ｃを介して、主装置２１に音声信号が送出され、プリアンプ２１ａで増幅された後、スピーカ２２から放送される。
【０００４】
【発明が解決しようとする課題】
しかしながら、このような構成の共同呼出装置においては、スピーカを共同使用するためある送話装置が使用されている間は、他の送話装置は送話が終了するまで使用を待たなければならず、診察室が多数ある場合、送話装置の増加に伴い輻輳する確率も高くなり使用に不自由をきたすこともあった。
【０００５】
本発明は上述した難点に鑑みなされたもので、送話装置が多数設けられる場合であっても、随時送話装置を使用可能とする共同呼出装置を提供することを目的としている。
【０００６】
【課題を解決するための手段】
この目的を達成するため本発明の共同呼出装置は、複数の放送用マイク、放送用マイクに接続された放送用アンプ、放送用アンプに接続されたスイッチを有する音声入力装置と、各音声入力装置からの音声信号が入力される主装置と、主装置からの音声を放送する放送用スピーカとを備え、主装置は、スイッチのオン、オフに応じて音声入力装置から送られてきた放送音の音声信号の前後に開始信号および終了信号を付与する音声メモリ制御部と、音声メモリ制御部により開始信号および終了信号が付与された音声信号を各音声入力装置に割り当てられてそれぞれ格納する音声メモリと、音声メモリに接続され各音声メモリに対応して選択される信号検出スイッチと、信号検出スイッチを介して開始・終了信号を検出する開始・終了信号検出回路と、信号検出スイッチを順次サイクリックに選択するとともに音声メモリ制御部を介して選択された音声メモリの読み出し制御を行うカウンタと、開始・終了信号検出回路で開始信号が検出されたときカウンタの動作を停止させ放送用スピーカに接続された音声スイッチを閉成し、終了信号が検出されたときカウンタの動作を開始させ音声スイッチを開成する制御部とを有するものである。
【０００７】
本発明に係る共同呼出装置によれば、主装置に接続される複数の音声入力装置に対応して音声メモリを設け、各音声メモリから周期的に保存されたメモリを取り出し、スピーカから放音させるため、各音声入力装置において、他の音声入力装置が使用され、スピーカから放送されているときであっても、放送の終了を待たずに随時音声を入力することができ、音声入力装置に音声を入力さえしておけば、他の音声入力装置からの音声の放送が終了後、スピーカから放送される。このため、音声入力装置が多数設置されるものであっても、使用要領を向上させることができる。
【０００８】
【発明の実施の形態】
以下、本発明の共同呼出装置における好ましい実施の形態例を図面にしたがって説明する。
図１において、共同呼出装置は主装置Ｍと、主装置Ｍへそれぞれ音声信号８ａ、８ｂ、８ｃを出力する複数の音声入力装置１ａ、１ｂ、１ｃ及び主装置Ｍからの音声を放送するひとつの放送用スピーカ１３を有する。尚、音声入力装置は３台が表示されているがこれに限定するものではない。
【０００９】
音声入力装置１ａには、放送用マイク２ａ、放送用マイク２ａに接続される放送用アンプ３ａ、放送用アンプ３ａに接続されるスイッチ４ａが設けられる。尚、他の音声入力装置１ｂ、１ｃも同様の構成であり、それぞれ放送用マイク２b、２c、放送用アンプ３b、３c、スイッチ４b、４cが設けられる。
主装置Ｍには、各音声入力装置１ａ、１ｂ、１ｃのスイッチ４ａ、４ｂ、４ｃの閉成をそれぞれ検出する起動検出回路５ａ、５ｂ、５ｃ及び音声メモリ制御部１７が順次設けられる。音声メモリ制御部１７において、起動検出回路５ａ、５ｂ、５ｃを介して音声信号８ａ、８ｂ、８ｃが入力されると、それぞれの音声信号８ａ、８ｂ、８ｃの前後に開始信号７ａ、７ｂ、７ｃ及び終了信号９ａ、９ｂ、９ｃを付加するようになっている。主装置Ｍには、各音声入力装置１ａ、１ｂ、１ｃに対応した音声メモリ６ａ、６ｂ、６ｃが設けられ、音声メモリ制御部１７において開始信号７ａ、７ｂ、７ｃ及び終了信号９ａ、９ｂ、９ｃが付加された各音声信号８ａ、８ｂ、８ｃをそれぞれ割り当てられた音声メモリ６ａ、６ｂ、６ｃへ格納される。各音声メモリ６ａ、６ｂ、６ｃにはそれぞれ信号検出スイッチ１０ａ、１０ｂ、１０ｃが接続され、信号検出スイッチ１０ａ、１０ｂ、１０ｃを順次選択して開閉を制御するカウンタ１５が設けられる。更に、信号検出スイッチ１０ａ、１０ｂ、１０ｃには音声信号８ａ、８ｂ、８ｃに付加された開始信号７ａ、７ｂ、７ｃ及び終了信号９ａ、９ｂ、９ｃを検出する開始・終了信号検出回路１４が接続される。開始・終了信号検出回路１４には制御部１６が接続され、制御部１６の出力側には、カウンタ１５及び各音声メモリ６ａ、６ｂ、６ｃと音声アンプ１２との接続、切断を制御する音声スイッチ１１ａ、１１ｂ、１１ｃが接続される。音声アンプ１２には１の放送用スピーカ１３が接続される。
【００１０】
このような構成の共同呼出装置の動作を説明する。
音声入力装置１ａにおいて、スイッチ４ａが押され、放送用マイク２ａから音声信号８ａが入力されると、主装置Ｍの起動検出回路５ａがスイッチ４ａの閉成を検出し、音声メモリ制御部１７を駆動し、音声信号８ａの前後に開始信号７ａ及び終了信号９ａを付加し、音声メモリ６ａに格納する。他の音声入力装置１ｂ、１ｃからの音声信号８ｂ、８ｃも同様に起動検出回路５b、５c、音声メモリ制御部１７が動作しそれぞれ対応する音声メモリ６ｂ、６ｃに格納される。
【００１１】
一方、カウンタ１５は各音声メモリ６ａ、６ｂ、６ｃに対応した信号検出スイッチ１０ａ、１０ｂ、１０ｃを順次例えば２秒毎に選択して閉成させ、また音声メモリ制御部１７を制御して、信号検出スイッチ１０a、１０b、１０cに該当する音声メモリ６a、６b、６c内を出力させて開始信号７ａ、７ｂ、７ｃ、終了信号９ａ、９ｂ、９ｃが付加され音声メモリ６ａ、６ｂ、６ｃに格納されている音声信号８ａ、８ｂ、８ｃを開始・終了検出回路１４へ出力させる。例えば、信号検出スイッチ１０aを閉成したとき、開始・終了信号検出回路１４において開始信号７ａが検出されると、開始・終了信号検出回路１４から制御部１６へカウンタ停止信号を出力し、制御部１６によってカウンタ１５の動作が停止されると共に、音声スイッチ１１ａが閉成される。これにより、検出された開始信号７ａが格納されていた音声メモリ６ａに対応した信号検出スイッチ１０ａのみが閉成された状態となる。そして、音声メモリからの音声信号８aが音声スイッチ１１ａを介して音声アンプ１２に入力され増幅され、放送用スピーカ１３から放音される。閉成された信号検出スイッチ１０ａを介して終了信号９ａが開始・終了信号検出回路１４に入力されると、開始・終了信号検出回路１４から制御部１６へカウンタ駆動信号を出力し、制御部１６によってカウンタ１５の動作が開始されると共に、音声スイッチ１１ａが開成される。
【００１２】
また、信号検出スイッチ１０bを閉成したとき開始信号７bが検出された場合、信号検出スイッチ１０cを閉成したとき開始信号７cが検出された場合も、制御部１６、カウンタ１５、音声スイッチ１１ｂ、１１ｃ、音声メモリ６ｂ、６ｃ、アンプ１２、放送用スピーカ１３はそれぞれ同様に動作する。
このようにして、音声メモリ６ａ、６ｂ、６ｃに音声信号８ａ、８ｂ、８ｃを一旦格納し、音声メモリに格納されている音声信号８ａ、８ｂ、８ｃに付加された開始信号７ａ、７ｂ、７ｃが開始・終了信号検出回路１４によって順次検出され、信号検出スイッチ１０ａ、１０ｂ、１０ｃ、音声スイッチ１１ａ、１１ｂ、１１ｃが制御され、スピーカ１３から放送される。このため、他の音声入力装置において、スピーカから放送されているときであっても、音声を入力することができる。
【００１３】
【発明の効果】
以上の説明から明らかなように、本発明の共同呼出装置によれば、主装置に接続される複数の音声入力装置に対応して音声メモリを設け、各音声メモリから周期的に保存されたメモリを取り出し、スピーカから放音させるため、各音声入力装置において、他の音声入力装置が使用され、スピーカから放送されているときであっても、放送の終了を待たずに随時音声を入力することができ、音声入力装置に音声を入力さえしておけば、他の音声入力装置からの音声の放送が終了後、スピーカから放送される。このため、音声入力装置が多数設置されるものであっても、使用要領を向上させることができる。
【図面の簡単な説明】
【図１】本発明の共同呼出装置の一実施例を示すブロック図。
【図２】従来例のブロック図。
【符号の説明】
１a、１b、１c・・・・・音声入力装置
２a、２b、２c・・・・・放送用マイク
３a、３b、３c・・・・・放送用アンプ
４a、４b、４c・・・・・スイッチ
６a、６b、６c・・・・・音声メモリ
７a、７b、７c・・・・・開始信号
８a、８b、８c・・・・・音声信号
９a、９b、９c・・・・・終了信号
１０a、１０b、１０c・・・・・信号検出スイッチ
１１a、１１b、１１c・・・・・音声スイッチ
１３・・・・・放送用スピーカ
１４・・・・・開始・終了信号検出回路
１５・・・・・カウンタ
１６・・・・・制御部
１７・・・・・音声メモリ制御部
Ｍ・・・・・主装置
【図１】
0003869109.tif 000002
【図２】
0003869109.tif 000003